(57)【特許請求の範囲】
【請求項１】
エアに含まれるダストを捕捉するエレメント（２４）をエアクリーナ装置（１３）のケーシング（２３）の内部に配置することで、前記エレメント（２４）の下側および上側にそれぞれダーティチャンバ（３０）およびクリーンチャンバ（３１）を形成し、前記ダーティチャンバ（３０）にエア導入口（２１ｉ）を設けるとともに、前記クリーンチャンバ（３１）にブローバイガス導入口（２２ｆ）およびエア導出口（２２ｇ）を設けた車両用エアクリーナ装置であって、
前記ブローバイガス導入口（２２ｆ）および前記エア導出口（２２ｇ）は前記ケーシング（２３）の相互に対向する第１、第２側面（２２ｂ，２２ｃ）にそれぞれ設けられており、前記ブローバイガス導入口（２２ｆ）の近傍の前記第１側面（２２ｂ）と前記エア導出口（２２ｇ）の近傍の前記第２側面（２２ｃ）とを、ブローバイガス中に含まれるオイルミストが凝集したオイルを案内するオイル案内部材（３２）で接続し、このオイル案内部材（３２）の前記エア導出口（２２ｇ）側の端部を、前記エア導出口（２２ｇ）の側方位置に配置したことを特徴とする車両用エアクリーナ装置。
【請求項２】
前記オイル案内部材（３２）は一つの底壁（３２ａ）と二つの側壁（３２ｂ，３２ｃ）とからなる断面略コ字状の部材であることを特徴とする、請求項１に記載の車両用エアクリーナ装置。
【請求項３】
前記二つの側壁（３２ｂ，３２ｃ）のうちの一方の側壁（３２ｂ）は、前記ブローバイガス導入口（２２ｆ）側の高さが前記エア導出口（２２ｇ）側の高さよりも高いことを特徴とする、請求項２に記載の車両用エアクリーナ装置。
【請求項４】
エアに含まれるダストを捕捉するエレメント（２４）をエアクリーナ装置（１３）のケーシング（２３）の内部に配置することで、前記エレメント（２４）の下側および上側にそれぞれダーティチャンバ（３０）およびクリーンチャンバ（３１）を形成し、前記ダーティチャンバ（３０）にエア導入口（２１ｉ）を設けるとともに、前記クリーンチャンバ（３１）にブローバイガス導入口（２２ｆ）およびエア導出口（２２ｇ）を設けた車両用エアクリーナ装置であって、
前記ブローバイガス導入口（２２ｆ）および前記エア導出口（２２ｇ）は前記ケーシング（２３）の相互に対向する第１、第２側面（２２ｂ，２２ｃ）にそれぞれ設けられており、前記ブローバイガス導入口（２２ｆ）の近傍の前記第１側面（２２ｂ）と前記エア導出口（２２ｇ）の近傍の前記第２側面（２２ｃ）とを、ブローバイガス中に含まれるオイルミストが凝集したオイルを案内するオイル案内部材（３２）で接続し、
前記オイル案内部材（３２）は一つの底壁（３２ａ）と一つの側壁（３２ｇ）とからなる断面略Ｌ字状の部材であり、前記底壁（３２ａ）の前記側壁（３２ｇ）と反対側の端縁は前記ケーシング（２３）の前記第１、第２側面（２２ｂ，２２ｃ）とは異なる第３側面（２２ｍ）に沿って固定されることを特徴とする車両用エアクリーナ装置。
【請求項５】
前記一つの側壁（３２ｇ）は、前記ブローバイガス導入口（２２ｆ）側の高さが前記エア導出口（２２ｇ）側の高さよりも高いことを特徴とする、請求項４に記載の車両用エアクリーナ装置。
【請求項６】
前記オイル案内部材（３２）は、前記ブローバイガス導入口（２２ｆ）から導入されたブローバイガスが衝突する遮蔽部（３２ｆ，３２ｉ）を備えることを特徴とする、請求項１〜請求項５の何れか１項に記載の車両用エアクリーナ装置。
【請求項７】
前記エアクリーナ装置（１３）を車両に搭載した状態で、前記オイル案内部材（３２）は前記ブローバイガス導入口（２２ｆ）側から前記エア導出口（２２ｇ）側に向かって低くなるように傾斜して配置されることを特徴とする、請求項１〜請求項６の何れか１項に記載の車両用エアクリーナ装置。
【発明の詳細な説明】
【技術分野】
【０００１】
本発明は、エアに含まれるダストを捕捉するエレメントをエアクリーナ装置のケーシングの内部に配置することで、前記エレメントの下側および上側にそれぞれダーティチャンバおよびクリーンチャンバを形成し、前記ダーティチャンバにエア導入口を設けるとともに、前記クリーンチャンバにブローバイガス導入口およびエア導出口を設けた車両用エアクリーナ装置に関する。
【背景技術】
【０００２】
エンジンに供給するエアに含まれるダストをエレメントで濾過するエアクリーナ装置にエンジンからのブローバイガスを供給し、ブローバイガスに含まれる燃料蒸気およびオイルミストを吸気と共にエンジンで燃焼させて大気への放散を防止することが行われている。この場合、ブローバイガスに含まれるオイルミストがエアクリーナ装置の内部で液滴化したオイルがエレメントに付着すると、エレメントが目詰まりしてダストの濾過性能が低下する問題がある。
【０００３】
そこで、エアクリーナ装置のエレメントに対向するケーシングの壁部にブローバイガス導入口およびエア導出口を相互に隣接するように開口させ、ブローバイガス導入口からエア導出口に跨がるようにブローバイガス反転案内具を配置することで、ブローバイガスがエレメントに直接吹き付けられないようにしてオイルによるエレメントの汚損を防止するものが、下記特許文献１により公知である。
【先行技術文献】
【特許文献】
【０００４】
【特許文献１】特許第３１７７８００号公報
【発明の概要】
【発明が解決しようとする課題】
【０００５】
しかしながら上記従来のものは、ブローバイガス反転案内具がケーシングのエア導出口を直接覆っているため、ケーシングの内部からエア導出口へのエアの流通が阻害されて圧力損失が増加するだけでなく、ブローバイガス反転案内具がケーシングの剛性向上に殆ど寄与しないために、ケーシングが膜面振動して騒音の原因となる可能性があった。
【０００６】
本発明は前述の事情に鑑みてなされたもので、エアクリーナ装置のエレメントがブローバイガスに含まれるオイルで汚損されるのを防止するとともにエアクリーナ装置のケーシングの膜面振動を防止することを目的とする。
【課題を解決するための手段】
【０００７】
上記目的を達成するために、請求項１に記載された発明によれば、エアに含まれるダストを捕捉するエレメントをエアクリーナ装置のケーシングの内部に配置することで、前記エレメントの下側および上側にそれぞれダーティチャンバおよびクリーンチャンバを形成し、前記ダーティチャンバにエア導入口を設けるとともに、前記クリーンチャンバにブローバイガス導入口およびエア導出口を設けた車両用エアクリーナ装置であって、前記ブローバイガス導入口および前記エア導出口は前記ケーシングの相互に対向する第１、第２側面にそれぞれ設けられており、前記ブローバイガス導入口の近傍の前記第１側面と前記エア導出口の近傍の前記第２側面とを、ブローバイガス中に含まれるオイルミストが凝集したオイルを案内するオイル案内部材で接続し、このオイル案内部材の前記エア導出口側の端部を、前記エア導出口の側方位置に配置したことを特徴とする車両用エアクリーナ装置が提案される。
【０００８】
また請求項２に記載された発明によれば、請求項１の構成に加えて、前記オイル案内部材は一つの底壁と二つの側壁とからなる断面略コ字状の部材であることを特徴とする車両用エアクリーナ装置が提案される。
【０００９】
また請求項３に記載された発明によれば、請求項２の構成に加えて、前記二つの側壁のうちの一方の側壁は、前記ブローバイガス導入口側の高さが前記エア導出口側の高さよりも高いことを特徴とする車両用エアクリーナ装置が提案される。
【００１０】
また請求項４に記載された発明によれば、エアに含まれるダストを捕捉するエレメントをエアクリーナ装置のケーシングの内部に配置することで、前記エレメントの下側および上側にそれぞれダーティチャンバおよびクリーンチャンバを形成し、前記ダーティチャンバにエア導入口を設けるとともに、前記クリーンチャンバにブローバイガス導入口およびエア導出口を設けた車両用エアクリーナ装置であって、前記ブローバイガス導入口および前記エア導出口は前記ケーシングの相互に対向する第１、第２側面にそれぞれ設けられており、前記ブローバイガス導入口の近傍の前記第１側面と前記エア導出口の近傍の前記第２側面とを、ブローバイガス中に含まれるオイルミストが凝集したオイルを案内するオイル案内部材で接続し、前記オイル案内部材は一つの底壁と一つの側壁とからなる断面略Ｌ字状の部材であり、前記底壁の前記側壁と反対側の端縁は前記ケーシングの前記第１、第２側面とは異なる第３側面に沿って固定されることを特徴とする車両用エアクリーナ装置が提案される。
【００１１】
また請求項５に記載された発明によれば、請求項４の構成に加えて、前記一つの側壁は、前記ブローバイガス導入口側の高さが前記エア導出口側の高さよりも高いことを特徴とする車両用エアクリーナ装置が提案される。
【００１２】
また請求項６に記載された発明によれば、請求項１〜請求項５の何れかの構成に加えて、前記オイル案内部材は、前記ブローバイガス導入口から導入されたブローバイガスが衝突する遮蔽部を備えることを特徴とする車両用エアクリーナ装置が提案される。
【００１３】
また請求項７に記載された発明によれば、請求項１〜請求項６の何れかの構成に加えて、前記エアクリーナ装置を車両に搭載した状態で、前記オイル案内部材は前記ブローバイガス導入口側から前記エア導出口側に向かって低くなるように傾斜して配置されることを特徴とする車両用エアクリーナ装置が提案される。
【００１４】
尚、実施の形態の第１、第２側壁３２ｂ，３２ｃは本発明の側壁に対応する。
【発明の効果】
【００１５】
請求項１の構成によれば、エアクリーナ装置のケーシングのエア導入口からダーティチャンバに供給されたダストを含むエアは、エレメントを下から上に通過する際にダストを濾過されてクリーンチャンバに流入し、そこでブローバイガス導入口から導入された燃料蒸気およびオイルミストを含むブローバイガスと混合してエア導出口から導出される。ブローバイガス導入口およびエア導出口はケーシングの相互に対向する第１、第２側面にそれぞれ設けられており、ブローバイガス導入口の近傍の第１側面とエア導出口の近傍の第２側面とをオイル案内部材で接続し、このオイル案内部材のエア導出口側の端部を、エア導出口の側方位置に配置したので、ブローバイガス中に含まれるオイルミストが凝集したオイルをオイル案内部材に沿ってエア導出口の側方からエア導出口へと案内することで、前記オイルがエレメントに付着して濾過性能が低下するのを防止することができる。しかもオイル案内部材はケーシングの相互に対向する第１、第２側面を接続するので、前記第１、第２側面の剛性を高めて膜面振動の発生を防止し、吸気騒音の低減に寄与することができる。
【００１６】
また請求項２の構成によれば、オイル案内部材は一つの底壁と二つの側壁とからなる断面略コ字状の部材であるので、オイル案内部材に沿って流れるオイルが途中で滴下してエレメントに付着するのを防止することができる。
【００１７】
また請求項３の構成によれば、オイル案内部材の二つの側壁のうちの一方の側壁は、ブローバイガス導入口側の高さがエア導出口側の高さよりも高いので、ブローバイガス導入口から導入されたブローバイガスを側壁の高い部分に衝突させて効果的に液滴化しながら、ブローバイガスが衝突しないエア導出口側の側壁を低くすることで、オイル案内部材の重量の削減、エアの流通抵抗の低減、ケーシングの容積の拡大を図ることができる。
【００１８】
また請求項４の構成によれば、オイル案内部材は一つの底壁と一つの側壁とからなる断面略Ｌ字状の部材であり、底壁の側壁と反対側の端縁はケーシングの第１、第２側面とは異なる第３側面に沿って固定されるので、オイル案内部材を小型化して重量を削減しながら底壁および側壁と第３側面とによって樋状の断面を構成し、オイル案内部材に沿って流れるオイルが途中で滴下してエレメントに付着するのを防止することができる。
【００１９】
また請求項５の構成によれば、オイル案内部材の一つの側壁は、ブローバイガス導入口側の高さがエア導出口側の高さよりも高いので、ブローバイガス導入口から導入されたブローバイガスを側壁の高い部分に衝突させて効果的に液滴化しながら、ブローバイガスが衝突しないエア導出口側の側壁を低くすることで、オイル案内部材の重量の削減、エアの流通抵抗の低減、ケーシングの容積の拡大を図ることができる。
【００２０】
また請求項６の構成によれば、オイル案内部材はブローバイガス導入口から導入されるブローバイガスが衝突する遮蔽部を備えるので、ブローバイガスに含まれるオイルミストを効率的に液滴化してオイル案内部材に確実に付着させることができる。
【００２１】
また請求項７の構成によれば、エアクリーナ装置を車両に搭載した状態で、オイル案内部材はブローバイガス導入口側からエア導出口側に向かって低くなるように傾斜して配置されるので、オイル案内部材に付着したオイルをエア導出口側にスムーズに案内することができる。
【図面の簡単な説明】
【００２２】
【図１】自動車の吸気装置の斜視図。（第１の実施の形態）
【図２】図１の２方向矢視図。（第１の実施の形態）
【図３】図２の３−３線断面図。（第１の実施の形態）
【図４】図３の４−４線断面図。（第１の実施の形態）
【図５】図３の５−５線断面図。（第１の実施の形態）
【図６】アッパケーシングおよびオイル案内部材の斜視図。（第１の実施の形態）
【図７】自動車の吸気装置の斜視図。（第２の実施の形態）
【図８】図７の８方向矢視図。（第２の実施の形態）
【図９】図８の９−９線断面図。（第２の実施の形態）
【図１０】アッパケーシングおよびオイル案内部材の斜視図。（第２の実施の形態）
【発明を実施するための形態】
【００２３】
以下、図１〜図６に基づいて本発明の第１の実施の形態を説明する。
【００２４】
図１に示すように、自動車の吸気装置は、先端をエアインテークカバー１１で覆われたエアインテークダクト１２と、エアインテークダクト１２の下流側に接続されたエアクリーナ装置１３と、エアクリーナ装置１３の下流側に接続されたエアフロチューブ１４とを備えており、エアフロチューブ１４の下流側はエンジンＥの吸気系に接続される。またエンジンＥの排気系に上流側を接続されたブリーザチューブ１５の下流側は、エアクリーナ装置１３に接続される。
【００２５】
次に、図２〜図６に基づいてエアクリーナ装置１３の構造を説明する。
【００２６】
エアクリーナ装置１３は、ロアケーシング２１およびアッパケーシング２２よりなるケーシング２３を備える。ロアケーシング２１は、上面が開放した容器状の部材であり、一つの矩形状の底面２１ａと、その四つの辺から立ち上がる第１〜第４側面２１ｂ〜２１ｅとを備えており、底面２１ａの下面には複数本の補強リブ２１ｆ…が平行に形成されるとともに、第１〜第４側面２１ｂ〜２１ｅの縁部に沿って外向きに張り出す結合フランジ２１ｇが形成される。結合フランジ２１ｇが第３側面２１ｄおよび第４側面２１ｅに臨む位置には、各２個の結合突起２１ｈ…が突設される。
【００２７】
アッパケーシング２２は、円弧状に湾曲する天井面２２ａと第１、第２側面２２ｂ，２２ｃとを備えて下面が開放する容器状の部材であって、天井面２２ａおよび第１、第２側面２２ｂ，２２ｃの縁部に、前記ロアケーシング２１の結合フランジ２１ｇと同一形状を成して外向きに張り出す結合フランジ２２ｄが形成される。結合フランジ２２ｄが天井面２２ａの両端に臨む位置には、各２個の結合突起２２ｅ…が突設される。
【００２８】
エア中に含まれるダストを濾過するエレメント２４は、シート状の濾材を蛇腹状に折り曲げたエレメント本体２５と、エレメント本体２５の周囲が固定される矩形枠状のフレーム２６と、フレーム２６の外周に固定されたシール部材２７とで構成される。シール部材２７をロアケーシング２１の結合フランジ２１ｇとアッパケーシング２２の結合フランジ２２ｄとの間に挟持した状態で、ロアケーシング２１の結合突起２１ｈ…およびアッパケーシング２２の結合突起２２ｅ…をボルト２８…およびナット２９…で締結することで、ケーシング２３の内部にエレメント２４を挟んで下側のダーティチャンバ３０および上側のクリーンチャンバ３１が区画される。
【００２９】
ロアケーシング２１の第３側面２１ｄには、エアインテークダクト１２の下流端が接続される２個のエア導入口２１ｉ，２１ｉが並設される。またアッパケーシング２２の第１側面２２ｂには、ブリーザチューブ１５の下流端が接続されるブローバイガス導入口２２ｆが形成され、同じく第２側面２２ｃには、エアフロチューブ１４の上流端が接続されるエア導出口２２ｇが形成される。ブローバイガス導入口２２ｆおよびエア導出口２２ｇは、アッパケーシング２２の相互に平行な第１、第２側面２２ｂ，２２ｃにそれぞれ垂直に形成されているため、それらブローバイガス導入口２２ｆおよびエア導出口２２ｇの軸線は相互に平行であるが、エアクリーナ装置１３の長手方向に若干ずれている。
【００３０】
アッパケーシング２２の天井面２２ａの内面には、第１、第２側面２２ｂ，２２ｃと平行に延びる２枚の隔壁２２ｈ，２２ｉが突設されており、２枚の隔壁２２ｈ，２２ｉ間の隙間を通過するように、ブローバイガス導入口２２ｆの近傍の第１側面２２ｂとエア導出口２２ｇの近傍の第２側面２２ｃとを接続するオイル案内部材３２が配置される。
【００３１】
オイル案内部材３２は略コ字状断面を有する樋状の部材であって、底壁３２ａと、底壁３２ａの両側縁から立ち上がる第１、第２側壁３２ｂ，３２ｃと、底壁３２の両端を第１、第２側壁３２ｂ，３２ｃの両端から突出するように延長した一対の取付部３２ｄ，３２ｅとを備える。オイル案内部材３２の第１側壁３２ｂは、ブローバイガス導入口２２ｆ側の高さに比べてエア導出口２２ｇ側の高さが低くなっており、その高さが高い部分が遮蔽部３２ｆとされる。またアッパケーシング２２の第１、第２側壁２２ｂ，２２ｃの内面にはそれぞれ凸部２２ｊ，２２ｋが形成されており、それらの凸部２２ｊ，２２ｋにオイル案内部材３２の一対の取付部３２ｄ，３２ｅがそれぞれ接着により固定される。
【００３２】
エアクリーナ装置１３を車両に搭載した状態で、オイル案内部材３２のブローバイガス導入口２２ｆ側の端部の高さは、エア導出口２２ｇ側の端部高さよりも若干高くなる。言い換えると、オイル案内部材３２は．ブローバイガス導入口２２ｆ側の端部からエア導出口２２ｇ側の端部に向かって若干下向きに傾斜して配置される（図３参照）。またオイル案内部材３２は、底壁３２ａおよび第２側壁３２ｃの角部が最も低くなるように傾いて配置される（図５参照）。またオイル案内部材３２の第１側壁３２ｂのうち、その高さが高くなった遮蔽部３２ｆの内面がブローバイガス導入口２２ｆの軸線の延長線と交差するように配置される。更に、オイル案内部材３２のエア導出口２２ｇ側の端部は、エア導出口２２ｇの側方位置に配置される（図５および図６参照）。オイル案内部材３２がエア導出口２２ｇに臨む下流側端部には、第２側壁３２ｃを切り欠いた切欠き３２ｊが形成される。
【００３３】
次に、上記構成を備えた本発明の第１の実施の形態の作用を説明する。
【００３４】
エアインテークカバー１１で覆われた先端からエアインテークダクト１２に導入されたエアはエアクリーナ装置１３の内部に導入され、そこでエレメント２４をダーティチャンバ３０側からクリーンチャンバ３１側に通過してダストを除去されたエアは、エアフロチューブ１４を介してエンジンＥの吸気系に供給される。またエンジンＥの排気系から導入された燃料蒸気およびオイルミストを含むブリーザガスは、ブリーザチューブ１５を介してエアクリーナ１２のクリーンチャンバ３１に供給され、そこからエアフロチューブ１４を介してエンジンＥの吸気系に供給されることで、前記燃料蒸気およびオイルミストの大気への拡散が防止される。
【００３５】
ブローバイガスに含まれるオイルミストが液滴化したオイルがエレメント２４のエレメント本体２５に付着すると、エレメント本体２５が目詰まりしてダストの濾過性能が低下してしまうため、オイルをエレメント本体２５に付着させることなくエア導出口２２ｇからエンジンＥに供給して混合気と共に燃焼させることが望ましい。
【００３６】
本実施の形態によれば、ブローバイガス導入口２２ｆからクリーンチャンバ３１に導入されたブローバイガスは、オイル案内部材３２の第１側壁３２ｂの遮蔽部３２ｆに衝突することで、そのブローバイガスに含まれるオイルミストが液滴化してオイルとなり、オイル案内部材３２の底壁３２ａに沿って下方に流下することで、底壁３２ａおよび第２側壁３２ｃの角部に一旦保持される。
【００３７】
オイル案内部材３２はブローバイガス導入口２２ｆ側からエア導出口２２ｇ側に向かって下り傾斜に配置されるため、オイルは底壁３２ａおよび第２側壁３２ｃの角部に沿ってエア導出口２２ｇに向かって流れ、第２側壁３２ｃの下流側端部から滴下する。このとき、クリーンチャンバ３１内のエアはエアフロチューブ１４の負圧に引かれてエア導出口２２ｇに勢い良く流入するため、第２側壁３２ｃの下流側端部の切欠き３２ｊから滴下したオイルは前記エアの流れによってエア導出口２２ｇに吸い込まれ、エア導出口２２ｇの下方のエレメント本体２５に付着することが防止される。
【００３８】
オイル案内部材３２の下流側端部はエア導出口２２ｇの側方に位置していて該エア導出口２２ｇを覆っていないため、オイル案内部材３２によってエアクリーナ装置１３内のエアの流れが阻害されることが最小限に抑えられる。またオイル案内部材３２の第１側壁３２ｂの下流側部分は、オイルミストを液滴化する機能もオイルの流れを案内する機能も果たさないが、その部分の高さをオイルミストを液滴化する遮蔽部３２ｆよりも低くすることで、オイル案内部材３２を可及的に小型化し、重量の軽減およびエアクリーナ装置１３の容積確保に寄与することができる。
【００３９】
またアッパケーシング２２の第１、第２側面２２ｂ，２２ｃは比較的に大面積の平坦面であるため、膜面振動を起こして騒音の原因となる可能性があるが、オイル案内部材３２の両端の取付部３２ｄ，３２ｅが第１、第２側面２２ｂ，２２ｃの凸部２２ｊ，２２ｋに固定されているため、オイル案内部材３２によって第１、第２側面２２ｂ，２２ｃの剛性を高めて膜面振動の発生を防止することができる。
【００４０】
次に、図７〜図１０に基づいて本発明の第２の実施の形態を説明する。尚、第２の実施の形態の部材であって第１の実施の形態の部材に対応するものには、第１の実施の形態の部材の符号と同一の符号を付すことで、重複する説明を省略する。
【００４１】
第１の実施の形態のアッパケーシング２２は円弧状に湾曲する天井面２２ａを備えているが、第２の実施の形態のアッパケーシング２２は平坦な天井面２２ａを備えている。またアッパケーシング２２の一つの隅部が切り欠かれており、その切り欠かれた部分に形成された第３側面２２ｃにエア導出口２２ｇが形成されるとともに、第３側面２２ｃに対して略平行に対向する第２側面２２ｂにブローバイガス導入口２２ｆが形成される。
【００４２】
アッパケーシング２２の第１、第２側面２２ｂ，２２ｃを接続する第３側面２２ｍの内面側に沿うようにオイル案内部材３２が配置される。第２の実施の形態のオイル案内部材３２は、底壁３２ａおよび側壁３２ｇよりなる断面Ｌ字状の部材であって、その底壁３２ａの周囲のうちの側壁３２ｇに接続しない部分にコ字状の取付部３２ｈが形成されており、この取付部３２ｈがアッパケーシング２２の第１〜第３側面２２ｂ，２２ｃ，２２ｍの下縁に接着により固定される。オイル案内部材３２をアッパケーシング２２に固定した状態で、オイル案内部材３２の底壁３２ａ、側壁３２ｇおよびアッパケーシング２２の第３側面２２ｍによって断面コ字状のオイル通路が構成される。オイル案内部材３２がエア導出口２２ｇに臨む下流側端部には、側壁３２ｇを切り欠いた切欠き３２ｊが形成される。      
【００４３】
オイル案内部材３２の側壁３２ｇの高さは、ブローバイガス導入口２２ｆ側で高くなって遮蔽部３２ｉを構成し、エア導出口２２ｇ側で遮蔽部３２ｉの高さよりも低くなっている。またオイル案内部材３２は、ブローバイガス導入口２２ｆ側からエア導出口２２ｇ側に向かって下り傾斜に配置されるとともに（図８参照）、その下流端はエア導出口２２ｇに対して水平方向にずれて配置される（図９参照）。
【００４４】
次に、上記構成を備えた本発明の第２の実施の形態の作用を説明する。
【００４５】
ブローバイガス導入口２２ｆからクリーンチャンバ３１に導入されたブローバイガスは、オイル案内部材３２の側壁３２ｇの遮蔽部３２ｉ、オイル案内部材３２の底壁３２ａあるいはアッパケーシング２２の第３側面２２ｍに衝突することで、そのブローバイガスに含まれるオイルミストが液滴化してオイルとなり、オイル案内部材３２の側壁３２ｇあるいはアッパケーシング２２の第３側面２２ｍに沿って下方に流下することで、底壁３２ａに一旦保持される。
【００４６】
オイル案内部材３２はブローバイガス導入口２２ｆ側からエア導出口２２ｇ側に向かって下り傾斜に配置されるため、オイルは底壁３２ａに沿ってエア導出口２２ｇに向かって流れ、第２側壁３２ｃの下流側端部から滴下しようとするが、クリーンチャンバ３１内のエアはエアフロチューブ１４の負圧に引かれてエア導出口２２ｇに勢い良く流入するため、第２側壁３２ｃの下流側端部の切欠き３２ｊから滴下したオイルは前記エアの流れによってエア導出口２２ｇに吸い込まれ、エア導出口２２ｇの下方のエレメント本体２５に付着することが防止される。
【００４７】
オイル案内部材３２の下流側端部はエア導出口２２ｇの側方に位置していて該エア導出口２２ｇを覆っていないため、オイル案内部材３２によってエアクリーナ装置１３内のエアの流れが阻害されることが最小限に抑えられる。またオイル案内部材３２の側壁３２ｇの下流側部分は、オイルミストを液滴化する機能を果たさないが、その部分の高さをオイルミストを液滴化する遮蔽部３２ｉよりも低くすることで、オイル案内部材３２を可及的に小型化し、重量の軽減およびエアクリーナ装置１３の容積確保に寄与することができる。
【００４８】
またアッパケーシング２２の第１〜第３側面２２ｂ，２２ｃ，２２ｍは比較的に大面積の平坦面であるため、膜面振動を起こして騒音の原因となる可能性があるが、オイル案内部材３２の３方を囲む取付部３２ｈが第１〜第３側面２２ｂ，２２ｃ，２２ｍに固定されているため、オイル案内部材３２によって第１〜第３側面２２ｂ，２２ｃ，２２ｍの剛性を高めて膜面振動の発生を防止することができる。しかも断面Ｌ字状のオイル案内部材３２はアッパケーシング２２の第３側面２２ｍと協働して断面コ字状のオイル通路を構成するので、オイル案内部材３２自体を断面コ字状に形成する場合に比べてオイル案内部材３２の重量を軽減することができる。
【００４９】
以上、本発明の実施の形態を説明したが、本発明はその要旨を逸脱しない範囲で種々の設計変更を行うことが可能である。
【００５０】
例えば、オイル案内部材３２の形状は第１、第２の実施の形態に限定されるものではない。
【符号の説明】
【００５１】
１３        エアクリーナ装置
２１ｉ      エア導入口
２２ｂ      第１側面
２２ｃ      第２側面
２２ｆ      ブローバイガス導入口
２２ｇ      エア導出口
２２ｍ      第３側面
２３        ケーシング
２４        エレメント
３０        ダーティチャンバ
３１        クリーンチャンバ
３２        オイル案内部材
３２ａ      底壁
３２ｂ      第１側壁（側壁）
３２ｃ      第２側壁（側壁）
３２ｆ      遮蔽部
３２ｇ      側壁
３２ｉ      遮蔽部
【図１】
0005749560.tif 000002
【図２】
0005749560.tif 000003
【図３】
0005749560.tif 000004
【図４】
0005749560.tif 000005
【図５】
0005749560.tif 000006
【図６】
0005749560.tif 000007
【図７】
0005749560.tif 000008
【図８】
0005749560.tif 000009
【図９】
0005749560.tif 000010
【図１０】
0005749560.tif 000011